(57)【特許請求の範囲】
【請求項１】
同一の住居内の２以上のテレビ受信装置を含む宅内機器を制御する宅内機器制御装置であって、
前記テレビ受信装置から、前記テレビ受信装置を識別する識別情報と、表示が予約されている番組を示す視聴情報とを含む機器情報を取得する機器情報取得部と、
前記機器情報取得部が取得した前記機器情報を参照し、同じ番組の表示が予約されている異なる前記テレビ受信装置があるか否かを判定するチャンネル照合部と、
前記チャンネル照合部が同じ番組の表示が予約されていると判定した前記テレビ受信装置の前記識別情報に基づいて、前記異なるテレビ受信装置で前記同じ番組の視聴が予約されていることを前記同じ番組を視聴するユーザに通知する提示画面を生成する提示画面生成部と、
前記提示画面生成部が生成した前記提示画面を示す提示画面情報を、同じ番組の表示が予約されている前記テレビ受信装置に送信して、前記提示画面を表示させる提示画面送信部と、
を備える宅内機器制御装置。
【請求項２】
前記提示画面生成部は、前記チャンネル照合部が同じ番組の表示が予約されていると判定した前記テレビ受信装置の前記識別情報に基づいて、前記異なるテレビ受信装置で前記同じ番組の視聴が予約されていることを前記同じ番組を視聴するユーザに通知し、他の前記テレビ受信装置で同番組を視聴するか否かを選択可能な提示画面を生成し、
前記テレビ受信装置から、他の前記テレビ受信装置で同番組を視聴するか否かの選択を示す選択情報を取得する選択情報取得部と、
他の前記テレビ受信装置で同番組を視聴する選択を示す前記選択情報の取得元の前記テレビ受信装置の電源をオフにする制御を指示する制御信号を生成する制御信号生成部と、
前記制御信号生成部が生成した前記制御信号を当該テレビ受信装置に送信して電源をオフにする制御信号送信部と、
をさらに備える請求項１に記載の宅内機器制御装置。
【請求項３】
前記制御信号生成部は、さらに、前記テレビ受信装置と同じ部屋に配置された他の前記宅内機器とを対応付けた対応情報を参照し、他の前記テレビ受信装置で同番組を視聴する選択を示す前記選択情報の取得元の前記テレビ受信装置と同じ部屋に配置された他の前記宅内機器を特定し、特定した前記宅内機器の運転状態を変更する制御を指示する制御信号を生成し、
前記制御信号送信部は、さらに、前記制御信号生成部が生成した前記制御信号を当該宅内機器に送信して前記宅内機器の運転状態を変更する請求項２に記載の宅内機器制御装置。
【請求項４】
同一の住居内の２以上のテレビ受信装置を含む宅内機器を制御する宅内機器制御装置であって、
前記テレビ受信装置から、前記テレビ受信装置を識別する識別情報と、前記テレビ受信装置が予め決められた時間継続して表示しているまたは表示が予約されている番組を示す視聴情報とを含む機器情報を取得する機器情報取得部と、
前記機器情報取得部が取得した前記機器情報を参照し、同じ番組を予め決められた時間継続して表示しているまたは同じ番組の表示が予約されている異なる前記テレビ受信装置があるか否かを判定するチャンネル照合部と、
前記チャンネル照合部が同じ番組を予め決められた時間継続して表示しているまたは同じ番組の表示が予約されていると判定した前記テレビ受信装置の前記識別情報に基づいて、前記異なるテレビ受信装置で前記同じ番組が視聴されていることまたは視聴が予約されていることを前記同じ番組を視聴するユーザに通知し、他の前記テレビ受信装置で同番組を視聴するか否かを選択可能な提示画面を生成する提示画面生成部と、
前記提示画面生成部が生成した前記提示画面を示す提示画面情報を、同じ番組を予め決められた時間継続して表示しているまたは同じ番組の表示が予約されている前記テレビ受信装置に送信して、前記提示画面を表示させる提示画面送信部と、
前記テレビ受信装置から、他の前記テレビ受信装置で同番組を視聴するか否かの選択を示す選択情報を取得する選択情報取得部と、
他の前記テレビ受信装置で同番組を視聴する選択を示す前記選択情報の取得元の前記テレビ受信装置の電源をオフにする制御を指示する制御信号を生成する制御信号生成部と、
前記制御信号生成部が生成した前記制御信号を当該テレビ受信装置に送信して電源をオフにする制御信号送信部と、
を備え、
前記提示画面送信部が前記提示画面を前記テレビ受信装置に送信後一定時間以内に、前記機器情報取得部が前記テレビ受信装置の電源がオンからオフになったことを示す機器情報を取得した場合、
前記制御信号生成部は、さらに、前記テレビ受信装置と同じ部屋に配置された他の前記宅内機器とを対応付けた対応情報を参照し、他の前記テレビ受信装置で同番組を視聴する選択を示す前記選択情報の取得元の前記テレビ受信装置と同じ部屋に配置された他の前記宅内機器を特定し、特定した前記宅内機器の運転状態を変更する制御を指示する制御信号を生成し、
前記制御信号送信部は、さらに、前記制御信号生成部が生成した前記制御信号を当該宅内機器に送信して前記宅内機器の運転状態を変更する宅内機器制御装置。
【請求項５】
少なくとも前記チャンネル照合部、前記提示画面生成部、および、前記制御信号生成部のうちいずれかを、前記テレビ受信装置を含む宅内機器と通信可能に接続する宅外のサーバで構成する請求項２から４のいずれか１項に記載の宅内機器制御装置。
【請求項６】
同一の住居内の２以上のテレビ受信装置を含む宅内機器を制御する宅内機器制御装置であって、
前記テレビ受信装置から、前記テレビ受信装置を識別する識別情報と、前記テレビ受信装置が予め決められた時間継続して表示しているまたは表示が予約されている番組を示す視聴情報とを含む機器情報を取得する機器情報取得部と、
前記機器情報取得部が取得した前記機器情報を参照し、同じ番組を予め決められた時間継続して表示しているまたは同じ番組の表示が予約されている異なる前記テレビ受信装置があるか否かを判定するチャンネル照合部と、
前記チャンネル照合部が同じ番組を予め決められた時間継続して表示しているまたは同じ番組の表示が予約されていると判定した前記テレビ受信装置の前記識別情報に基づいて、前記異なるテレビ受信装置で前記同じ番組が視聴されていることまたは視聴が予約されていることを前記同じ番組を視聴するユーザに通知する提示画面を生成する提示画面生成部と、
前記提示画面生成部が生成した前記提示画面を示す提示画面情報を、同じ番組を予め決められた時間継続して表示しているまたは同じ番組の表示が予約されている前記テレビ受信装置に送信して、前記提示画面を表示させる提示画面送信部と、
を備え、
前記機器情報は、番組の視聴開始時刻または視聴予約登録時刻を示す開始時刻情報を含み、
前記提示画面送信部は、前記提示画面生成部が生成した前記提示画面を示す提示画面情報を、同じ番組を予め決められた時間継続して表示している前記テレビ受信装置のうち、少なくとも同番組の視聴開始時刻または視聴予約登録時刻が最も早い前記テレビ受信装置以外の前記テレビ受信装置に送信して、前記提示画面を表示させる宅内機器制御装置。
【請求項７】
同一の住居内の２以上のテレビ受信装置を含む宅内機器を制御する宅内機器制御装置であって、
前記テレビ受信装置から、前記テレビ受信装置を識別する識別情報と、前記テレビ受信装置が予め決められた時間継続して表示しているまたは表示が予約されている番組を示す視聴情報とを含む機器情報を取得する機器情報取得部と、
前記機器情報取得部が取得した前記機器情報を参照し、同じ番組を予め決められた時間継続して表示しているまたは同じ番組の表示が予約されている異なる前記テレビ受信装置があるか否かを判定するチャンネル照合部と、
前記チャンネル照合部が同じ番組を予め決められた時間継続して表示しているまたは同じ番組の表示が予約されていると判定した前記テレビ受信装置の前記識別情報に基づいて、前記異なるテレビ受信装置で前記同じ番組が視聴されていることまたは視聴が予約されていることを前記同じ番組を視聴するユーザに通知する提示画面を生成する提示画面生成部と、
前記提示画面生成部が生成した前記提示画面を示す提示画面情報を、同じ番組を予め決められた時間継続して表示しているまたは同じ番組の表示が予約されている前記テレビ受信装置に送信して、前記提示画面を表示させる提示画面送信部と、
を備え、
前記機器情報は、番組の視聴開始時刻または視聴予約登録時刻を示す開始時刻情報を含み、
前記提示画面送信部は、前記提示画面生成部が生成した前記提示画面を示す提示画面情報を、同じ番組を予め決められた時間継続して表示している前記テレビ受信装置のうち、少なくとも同番組の視聴開始時刻または視聴予約登録時刻が最も遅い前記テレビ受信装置以外の前記テレビ受信装置に送信して、前記提示画面を表示させる宅内機器制御装置。
【請求項８】
前記テレビ受信装置に予め優先順位を設定し、
前記提示画面送信部は、前記提示画面生成部が生成した前記提示画面を示す提示画面情報を、同じ番組を予め決められた時間継続して表示しているまたは同じ番組の表示が予約されている前記テレビ受信装置のうち、前記優先順位の最も高い前記テレビ受信装置以外の前記テレビ受信装置に送信して、前記提示画面を表示させる請求項１から５のいずれか１項に記載の宅内機器制御装置。
【請求項９】
同一の住居内の２以上のテレビ受信装置を含む宅内機器を制御する宅内機器制御装置に、
前記テレビ受信装置から、前記テレビ受信装置を識別する識別情報と、前記テレビ受信装置が予め決められた時間継続して表示しているまたは表示が予約されている番組を示す視聴情報とを含む機器情報を取得する機器情報取得ステップと、
前記機器情報取得ステップで取得した前記機器情報を参照し、同じ番組を予め決められた時間継続して表示しているまたは同じ番組の表示が予約されている異なる前記テレビ受信装置があるか否かを判定するチャンネル照合ステップと、
前記チャンネル照合ステップで同じ番組を予め決められた時間継続して表示しているまたは同じ番組の表示が予約されていると判定した前記テレビ受信装置の前記識別情報に基づいて、前記異なるテレビ受信装置で前記同じ番組が視聴されていることまたは視聴が予約されていることを前記同じ番組を視聴するユーザに通知し、他の前記テレビ受信装置で同番組を視聴するか否かを選択可能な提示画面を生成する提示画面生成ステップと、
前記提示画面生成ステップで生成した前記提示画面を示す提示画面情報を、同じ番組を予め決められた時間継続して表示しているまたは同じ番組の表示が予約されている前記テレビ受信装置に送信して、前記提示画面を表示させる提示画面送信ステップと、
前記テレビ受信装置から、他の前記テレビ受信装置で同番組を視聴するか否かの選択を示す選択情報を取得する選択情報取得ステップと、
他の前記テレビ受信装置で同番組を視聴する選択を示す前記選択情報の取得元の前記テレビ受信装置の電源をオフにする制御を指示する制御信号を生成する制御信号生成ステップと、
前記制御信号生成ステップで生成した前記制御信号を当該テレビ受信装置に送信して電源をオフにする制御信号送信ステップと、
を実行させるためのプログラムであって、
前記提示画面送信ステップで前記提示画面を前記テレビ受信装置に送信後一定時間以内に、前記機器情報取得ステップで前記テレビ受信装置の電源がオンからオフになったことを示す機器情報を取得した場合、
前記制御信号生成ステップでは、さらに、前記テレビ受信装置と同じ部屋に配置された他の前記宅内機器とを対応付けた対応情報を参照し、他の前記テレビ受信装置で同番組を視聴する選択を示す前記選択情報の取得元の前記テレビ受信装置と同じ部屋に配置された他の前記宅内機器を特定し、特定した前記宅内機器の運転状態を変更する制御を指示する制御信号を生成し、
前記制御信号送信ステップでは、さらに、前記制御信号生成ステップで生成した前記制御信号を当該宅内機器に送信して前記宅内機器の運転状態を変更するプログラム。
【請求項１０】
同一の住居内の２以上のテレビ受信装置を含む宅内機器を制御する宅内機器制御装置に、
前記テレビ受信装置から、前記テレビ受信装置を識別する識別情報と、前記テレビ受信装置が予め決められた時間継続して表示しているまたは表示が予約されている番組を示す視聴情報とを含む機器情報を取得する機器情報取得ステップと、
前記機器情報取得ステップで取得した前記機器情報を参照し、同じ番組を予め決められた時間継続して表示しているまたは同じ番組の表示が予約されている異なる前記テレビ受信装置があるか否かを判定するチャンネル照合ステップと、
前記チャンネル照合ステップで同じ番組を予め決められた時間継続して表示しているまたは同じ番組の表示が予約されていると判定した前記テレビ受信装置の前記識別情報に基づいて、前記異なるテレビ受信装置で前記同じ番組が視聴されていることまたは視聴が予約されていることを前記同じ番組を視聴するユーザに通知する提示画面を生成する提示画面生成ステップと、
前記提示画面生成ステップで生成した前記提示画面を示す提示画面情報を、同じ番組を予め決められた時間継続して表示しているまたは同じ番組の表示が予約されている前記テレビ受信装置に送信して、前記提示画面を表示させる提示画面送信ステップと、
を実行させるためのプログラムであって、
前記機器情報は、番組の視聴開始時刻または視聴予約登録時刻を示す開始時刻情報を含み、
前記提示画面送信ステップでは、前記提示画面生成ステップで生成した前記提示画面を示す提示画面情報を、同じ番組を予め決められた時間継続して表示している前記テレビ受信装置のうち、少なくとも同番組の視聴開始時刻または視聴予約登録時刻が最も早い前記テレビ受信装置以外の前記テレビ受信装置に送信して、前記提示画面を表示させるプログラム。
【請求項１１】
同一の住居内の２以上のテレビ受信装置を含む宅内機器を制御する宅内機器制御装置に、
前記テレビ受信装置から、前記テレビ受信装置を識別する識別情報と、前記テレビ受信装置が予め決められた時間継続して表示しているまたは表示が予約されている番組を示す視聴情報とを含む機器情報を取得する機器情報取得ステップと、
前記機器情報取得ステップで取得した前記機器情報を参照し、同じ番組を予め決められた時間継続して表示しているまたは同じ番組の表示が予約されている異なる前記テレビ受信装置があるか否かを判定するチャンネル照合ステップと、
前記チャンネル照合ステップで同じ番組を予め決められた時間継続して表示しているまたは同じ番組の表示が予約されていると判定した前記テレビ受信装置の前記識別情報に基づいて、前記異なるテレビ受信装置で前記同じ番組が視聴されていることまたは視聴が予約されていることを前記同じ番組を視聴するユーザに通知する提示画面を生成する提示画面生成ステップと、
前記提示画面生成ステップで生成した前記提示画面を示す提示画面情報を、同じ番組を予め決められた時間継続して表示しているまたは同じ番組の表示が予約されている前記テレビ受信装置に送信して、前記提示画面を表示させる提示画面送信ステップと、
を実行させるためのプログラムであって、
前記機器情報は、番組の視聴開始時刻または視聴予約登録時刻を示す開始時刻情報を含み、
前記提示画面送信ステップでは、前記提示画面生成ステップで生成した前記提示画面を示す提示画面情報を、同じ番組を予め決められた時間継続して表示している前記テレビ受信装置のうち、少なくとも同番組の視聴開始時刻または視聴予約登録時刻が最も遅い前記テレビ受信装置以外の前記テレビ受信装置に送信して、前記提示画面を表示させるプログラム。
【発明の詳細な説明】
【技術分野】
【０００１】
本発明は、宅内機器を制御する宅内機器制御装置およびプログラムに関する。
【背景技術】
【０００２】
民生部門における省エネルギーと地球温暖化への対策技術として、住宅用のエネルギー管理システム（ＨＥＭＳ：Home Energy Management System）が注目されている。ＨＥＭＳは、宅内全体のエネルギー供給や需要の状況を総合的に把握して、機器や設備の運転を効率的に行うことにより、総合的に省エネルギーを実現するためのシステムである。ＨＥＭＳでは、複数の家電機器をネットワークで接続し、宅内の消費エネルギー（主に電力）の“見える化”が行われ、システム使用者への省エネ意識付けに貢献している。近年では、ＨＥＭＳに属する宅内機器を制御して、ＨＥＭＳ搭載住宅のさらなる省エネ性の向上や、暮らしの快適性・利便性の向上といった活用方法が模索されている。
【０００３】
特許文献１の技術では、テレビ受信装置を給湯式給湯装置を制御する制御端末として用いている。テレビ受信装置の省エネ機能としては、特許文献２の技術のようにテレビ受信装置に人が接近したことを検知し、テレビ受信装置の電源オン・オフを行い、省エネを図る機能も発明されている。
【先行技術文献】
【特許文献】
【０００４】
【特許文献１】特開２００７−３０９６１１号公報
【特許文献２】実開昭５７−１０６３５９号公報
【発明の概要】
【発明が解決しようとする課題】
【０００５】
特許文献１の技術のように、テレビ受信装置を家電機器に制御指示信号を与える制御端末として用いることで、住人の利便性向上に寄与するが、一方でテレビ受信装置は、それ自体が電力を消費する。特に、前述のようにテレビ受信装置は稼働時間の長い機器であることもあり、省エネを促進する上で無視できない課題である。
【０００６】
さらに、テレビ受信装置は、その普及と共に現在では“一家に一台”ではなく“一部屋に一台”となっており、住人が別々の部屋でそれぞれ番組を視聴するケースも一般的になっている。その結果、同一の番組を別々の部屋で視聴しているという状況も多く発生しており、省エネを図る上での無駄が生まれている。特許文献２の技術では、このような無駄の解消は難しい。
【０００７】
本発明は、上述のような事情に鑑みてなされたもので、同一の住宅内の２以上のテレビ受信装置を含む宅内機器の消費電力を効率的に削減することを目的とする。
【課題を解決するための手段】
【０００８】
上記目的を達成するため、本発明に係る宅内機器制御装置は、同一の住居内の２以上のテレビ受信装置を含む宅内機器を制御する宅内機器制御装置である。宅内機器制御装置は、機器情報取得部と、チャンネル照合部と、提示画面生成部と、提示画面送信部と、を備える。機器情報取得部は、テレビ受信装置から、テレビ受信装置を識別する識別情報と、表示が予約されている番組を示す視聴情報とを含む機器情報を取得する。チャンネル照合部は、機器情報取得部が取得した機器情報を参照し、同じ番組の表示が予約されている異なるテレビ受信装置があるか否かを判定する。提示画面生成部は、チャンネル照合部が同じ番組の表示が予約されていると判定したテレビ受信装置の識別情報に基づいて、異なるテレビ受信装置で同じ番組の視聴が予約されていることを同じ番組を視聴するユーザに通知する提示画面を生成する。提示画面送信部は、提示画面生成部が生成した提示画面を示す提示画面情報を、同じ番組の表示が予約されているテレビ受信装置に送信して、提示画面を表示させる。
【発明の効果】
【０００９】
本発明によれば、同一の住居内の２以上のテレビ受信装置で同じ番組を予め決められた時間継続して表示している場合に、異なるテレビ受信装置で同じ番組が視聴されていることを同じ番組を視聴するユーザに通知することで、テレビ受信装置を含む宅内機器の消費電力を効率的に削減することができる。
【図面の簡単な説明】
【００１０】
【図１】本発明の実施の形態１に係る宅内機器制御システムの構成例を示す図である。
【図２】実施の形態１に係る宅内機器制御装置の構成例を示す図である。
【図３】（ａ）同じ番組を視聴中の異なるテレビ受信装置がない場合の機器情報の一例を示す図である。（ｂ）同じ番組を視聴中の異なるテレビ受信装置がある場合の機器情報の一例を示す図である。
【図４】実施の形態１に係る宅内機器制御処理の動作の一例を示すフローチャートである。
【図５】本発明の実施の形態２に係る宅内機器制御システムの構成例を示す図である。
【図６】実施の形態２に係る宅内機器制御装置の構成例を示す図である。
【図７】本発明の実施の形態３に係る宅内機器制御システムの構成例を示す図である。
【図８】実施の形態３に係るサーバの構成例を示す図である。
【発明を実施するための形態】
【００１１】
以下に、本発明を実施するための形態について図面を参照して詳細に説明する。なお、図中同一または相当する部分には同じ符号を付す。
【００１２】
（実施の形態１）
図１は、本発明の実施の形態１に係る宅内機器制御システムの構成例を示す図である。複数のユーザが同居する住居の中のリビング、子供部屋１、子供部屋２、および、寝室にはそれぞれ、テレビ受信装置２Ａ〜２Ｄ（総称する場合には、テレビ受信装置２という）が配置されている。宅内には、中継器７を介してテレビ受信装置２を制御する宅内機器制御装置１が設けられている。
【００１３】
宅内機器制御システム１００は、テレビ受信装置２と宅内機器制御装置１とで構成される。テレビ受信装置２はそれぞれ、電源のオンオフを制御する制御部２１と、宅内機器制御装置１と有線あるいは無線で通信可能に接続する通信部２２とを備える。ここでは、テレビ受信装置２の番組を表示する表示部分や電源部分、リモコンや本体ボタンからの入力を処理する部分など、テレビ受信装置２としての基本的機能を担う部分の図示は省略する。
【００１４】
テレビ受信装置２と宅内機器制御装置１との間は、例えばＥＣＨＯＮＥＴ  Ｌｉｔｅなど、所定の通信フォーマットに準じたネットワークを構成する。中継器７は通信プロトコルを変換して、宅内機器制御装置１とテレビ受信装置２とを相互接続する。なお、中継器７の機能を宅内機器制御装置１またはテレビ受信装置２に持たせて、中継器７を省略する構成としてもよいし、複数の中継器７を多段または並列に接続する構成としてもよい。
【００１５】
テレビ受信装置２はそれぞれ、テレビ受信装置２を識別する識別情報とテレビ受信装置２の電源のオンオフを示す稼働情報とテレビ受信装置２でユーザが視聴している番組を示す視聴情報とを含む機器情報を宅内機器制御装置１に送信する。「番組を視聴している」とは、テレビ受信装置２が予め決められた時間継続して番組を表示している状態をいう。番組を視聴していると判定するための表示継続時間は、ザッピングによって切り替わる番組の表示を視聴に含まないように設定すればよい。
【００１６】
機器情報を送信するタイミングは、テレビ受信装置２から宅内機器制御装置１へ定期的に自動で送信してもよいし、宅内機器制御装置１から各テレビ受信装置２へ定期的に問い合わせて、問い合わせに応答して送信してもよい。また、テレビ受信装置２において、視聴している番組が変わった場合や電源がオンになった場合など、テレビ受信装置２に状態の変化があったタイミングで機器情報を送信してもよい。
【００１７】
宅内機器制御装置１は、テレビ受信装置２から受信した機器情報に基づいて、同じ番組を視聴中の異なるテレビ受信装置２があるか否かを判定する。同じ番組を視聴中の異なるテレビ受信装置２がある場合には、ユーザに同番組を視聴中の他のテレビ受信装置２を通知し、一緒に視聴するか否かを選択可能な提示画面を生成する。宅内機器制御装置１は、生成した提示画面を示す提示画面情報を当該テレビ受信装置２に送信する。テレビ受信装置２は、通信部２２が宅内機器制御装置１から受信した提示画面情報に基づいて、制御部２１が提示画面を表示画面部に表示する。
【００１８】
提示画面は、一緒に視聴することを選択可能な入力領域と一緒に視聴しないことを選択可能な入力領域とを含む。選択の入力方法は、例えば、テレビ受信装置２のリモコンや本体ボタンなどの操作で入力する。テレビ受信装置２は、ユーザが入力した選択を示す選択情報を宅内機器制御装置１に送信する。宅内機器制御装置１は、テレビ受信装置２から受信した選択情報に基づいて、制御信号を生成し、選択情報の送信元のテレビ受信装置２に送信する。テレビ受信装置２は、通信部２２が宅内機器制御装置１から受信した制御信号に基づいて、制御部２１がテレビ受信装置２を制御する。
【００１９】
図２は、実施の形態１に係る宅内機器制御装置の構成例を示す図である。宅内機器制御装置１は、機器情報取得部１１、記憶部１２、チャンネル照合部１３、提示画面生成部１４、提示画面送信部１５、選択情報取得部１６、制御信号生成部１７、および、制御信号送信部１８で構成される。
【００２０】
機器情報取得部１１は、テレビ受信装置２から機器情報を受信すると、記憶部１２に記憶する。チャンネル照合部１３は、記憶部１２に記憶された機器情報を参照し、同じ番組を視聴中の異なるテレビ受信装置２があるか否かを判定する。
【００２１】
図３（ａ）は、同じ番組を視聴中の異なるテレビ受信装置がない場合の機器情報の一例を示す図である。図３（ｂ）は、同じ番組を視聴中の異なるテレビ受信装置がある場合の機器情報の一例を示す図である。機器情報は、テレビ受信装置２を識別する「識別情報」と、テレビ受信装置２の電源のオンオフを示す「稼働情報」と、テレビ受信装置２でユーザが視聴している番組を示す「視聴情報」と、ユーザが視聴している番組のジャンルを示す「ジャンルコード」とを含む。
【００２２】
図３の例のように、機器情報は、電子番組表で用いられる「ジャンルコード」のような番組に関連する情報を含んでもよいし、含まなくてもよい。また、テレビ受信装置２を識別する「識別情報」は、テレビ受信装置２が配置された部屋の名称や、テレビ受信装置２のＭＡＣアドレスなどでもよい。さらに、機器情報に「稼働情報」を含まず、チャンネル照合部１３は、「視聴情報」が、ユーザが視聴している番組を示していればテレビ受信装置２の電源がオンになっていると判定し、「視聴情報」が、ユーザが視聴している番組を示していなければテレビ受信装置２の電源がオフになっていると判定してもよい。
【００２３】
図２の宅内機器制御装置１のチャンネル照合部１３は、図３（ａ）に示す機器情報を参照した場合、電源がオンになっているテレビ受信装置２Ａおよびテレビ受信装置２Ｂで視聴されている番組が違うので、同じ番組を視聴中の異なるテレビ受信装置２がないと判定する。チャンネル照合部１３は、図３（ｂ）に示す機器情報を参照した場合、電源がオンになっているテレビ受信装置２Ａ、テレビ受信装置２Ｂおよびテレビ受信装置２Ｃのうち、テレビ受信装置２Ａおよびテレビ受信装置２Ｃで視聴されている番組が同じなので、同じ番組を視聴中の異なるテレビ受信装置２があると判定する。
【００２４】
チャンネル照合部１３は、同じ番組を視聴中の異なるテレビ受信装置２があると判定すると、同番組を視聴中のテレビ受信装置２の識別情報を提示画面生成部１４に送る。提示画面生成部１４は、チャンネル照合部１３から受け取った識別情報に基づいて、ユーザに同番組を視聴中の他のテレビ受信装置２を通知し、一緒に視聴するか否かを選択可能な提示画面を生成する。提示画面は、ユーザに同番組を視聴中の他のテレビ受信装置２を通知するだけでなく、他のユーザと一緒に視聴することを促すメッセージなどを表示してもよい。提示画面生成部１４は、生成した提示画面を示す提示画面送信部１５に送る。提示画面送信部１５は、提示画面生成部１４から受け取った提示画面情報を当該テレビ受信装置２に送信して表示させる。
【００２５】
なお、提示画面を表示させるのは、同番組を視聴中のテレビ受信装置２に限らず、同じ番組が視聴予約されているテレビ受信装置２でもよい。「視聴予約」とは、テレビ受信装置２で当該番組の表示を予約することをいう。この場合、テレビ受信装置２は視聴予約の機能を有し、機器情報はユーザが視聴予約している番組の情報を含む。チャンネル照合部１３が機器情報を参照し、同じ番組が視聴予約されているテレビ受信装置２があると判定すると、提示画面生成部１４は、ユーザに同じ番組が視聴予約されているテレビ受信装置２を通知し、一緒に視聴するか否かを選択可能な提示画面を生成する。
【００２６】
提示画面情報は、同番組を視聴中または同じ番組が視聴予約されているすべてのテレビ受信装置２に送信してもよいし、同番組を視聴中または同じ番組が視聴予約されているいずれかのテレビ受信装置２に送信してもよい。同番組を視聴中または同じ番組が視聴予約されているいずれかのテレビ受信装置２に送信する場合は、例えば、機器情報に番組の視聴開始時刻または視聴予約登録時刻を示す開始時刻情報を含み、同番組の視聴開始時刻または視聴予約登録時刻が最も遅いまたは最も早いテレビ受信装置２以外のテレビ受信装置２に送信するといった条件や、テレビ受信装置２に予め優先順位を設定し、優先順位の最も高いテレビ受信装置２（例えば、リビングのテレビ受信装置２Ａ）以外のテレビ受信装置２に送信するといった条件を設けてもよい。
【００２７】
選択情報取得部１６は、テレビ受信装置２から一緒に視聴するか否かの選択を示す選択情報を受信し、制御信号生成部１７に送る。制御信号生成部１７は、選択情報取得部１６から受け取った選択情報が一緒に視聴する選択を示す場合、当該選択情報の送信元のテレビ受信装置２の電源をオフにする制御を指示する制御信号を生成し、制御信号送信部１８に送る。制御信号送信部１８は、制御信号生成部１７から受け取った制御信号を当該テレビ受信装置２に送信する。例えば、図３（ｂ）に示すように、テレビ受信装置２Ａおよびテレビ受信装置２Ｃで視聴されている番組が同じである場合に、テレビ受信装置２Ｃに提示画面を表示させ、ユーザが一緒に視聴する選択をした場合、テレビ受信装置２Ｃの電源がオフとなり、消費電力を低減することができる。
【００２８】
なお、同番組を視聴中の複数のテレビ受信装置２に提示画面情報を送信している場合には、例えば、同番組を視聴中のテレビ受信装置２が決められた数（例えば１つ）になるまで、これらの処理を繰り返す。この場合、制御信号生成部１７は、記憶部１２が記憶する稼働情報を参照し、同番組を視聴中のテレビ受信装置２が決められた数になった時点で、表示中の提示画面を非表示にする制御を指示する制御信号を生成し、制御信号送信部１８を介して決められた数のテレビ受信装置２に送信してもよい。あるいは、提示画面生成部１４は、記憶部１２が記憶する稼働情報を参照し、同番組を視聴中のテレビ受信装置２が決められた数になった時点で、他のユーザが同番組を一緒に視聴しに来ることを通知する提示画面を生成し、提示画面送信部１５を介して決められた数のテレビ受信装置２に送信してもよい。
【００２９】
また、選択情報取得部１６、制御信号生成部１７および制御信号送信部１８の機能は、宅内機器制御装置１ではなく、テレビ受信装置２が備えてもよい。つまり、ユーザが提示画面上で一緒に視聴する選択を入力した場合、当該テレビ受信装置２の制御部２１が、電源をオフにするように構成してもよい。
【００３０】
図４は、実施の形態１に係る宅内機器制御処理の動作の一例を示すフローチャートである。宅内機器制御処理は、テレビ受信装置２と、宅内機器制御装置１とが起動すると開始する。
【００３１】
テレビ受信装置２は、機器情報を宅内機器制御装置１に送信する（ステップＳ１１）。宅内機器制御装置１の機器情報取得部１１は、テレビ受信装置２から機器情報を受信すると（ステップＳ２１）、記憶部１２に記憶する。チャンネル照合部１３は、記憶部１２に記憶された機器情報を参照し、同じ番組を視聴中の異なるテレビ受信装置２があるか否かを判定する（ステップＳ２２）。同じ番組を視聴中の異なるテレビ受信装置２がないと判定すると（ステップＳ２２；ＮＯ）、ステップＳ２１に戻り、異なるテレビ受信装置２が同じ番組を視聴中になるまで、ステップＳ２１およびステップＳ２２を繰り返す。
【００３２】
同じ番組を視聴中の異なるテレビ受信装置２があると判定すると（ステップＳ２２；ＹＥＳ）、チャンネル照合部１３は、同番組を視聴中のテレビ受信装置２の識別情報を提示画面生成部１４に送る。提示画面生成部１４は、チャンネル照合部１３から受け取った識別情報に基づいて、ユーザに同番組を視聴中の他のテレビ受信装置２を通知し、一緒に視聴するか否かを選択可能な提示画面を生成する（ステップＳ２３）。提示画面生成部１４は、生成した提示画面を示す提示画面送信部１５に送る。提示画面送信部１５は、提示画面生成部１４から受け取った提示画面情報を当該テレビ受信装置２に送信する（ステップＳ２４）。
【００３３】
テレビ受信装置２は、宅内機器制御装置１から提示画面情報を受信すると（ステップＳ１２）、提示画面情報に基づいて、提示画面を表示する（ステップＳ１３）。ユーザによって一緒に視聴するか否かの選択が入力されない場合（ステップＳ１４；ＮＯ）、ステップＳ１４を繰り返して、選択の入力を待機する。ユーザによって一緒に視聴するか否かの選択が入力された場合（ステップＳ１４；ＹＥＳ）、テレビ受信装置２は、ユーザが入力した選択を示す選択情報を宅内機器制御装置１に送信する（ステップＳ１５）。
【００３４】
宅内機器制御装置１の選択情報取得部１６は、テレビ受信装置２から選択情報を受信すると（ステップＳ２５）、制御信号生成部１７に送る。選択情報取得部１６から受け取った選択情報が一緒に視聴しない選択を示す場合（ステップＳ２６；ＮＯ）、制御信号生成部１７は、処理を終了する。選択情報取得部１６から受け取った選択情報が一緒に視聴する選択を示す場合（ステップＳ２６；ＹＥＳ）、制御信号生成部１７は、当該選択情報の送信元のテレビ受信装置２の電源をオフにする制御を指示する制御信号を生成し（ステップＳ２７）、制御信号送信部１８に送る。制御信号送信部１８は、制御信号生成部１７から受け取った制御信号を当該テレビ受信装置２に送信し（ステップＳ２８）、処理を終了する。
【００３５】
テレビ受信装置２は、宅内機器制御装置１から制御信号を受信する（ステップＳ１６）、テレビ受信装置２は、受信した制御信号に基づいてテレビ受信装置２を制御し（ステップＳ１７）、処理を終了する。なお、選択情報取得部１６、制御信号生成部１７および制御信号送信部１８の機能を、宅内機器制御装置１ではなく、テレビ受信装置２が備える場合には、ステップＳ１５、ステップＳ１６、および、ステップＳ２５〜ステップＳ２８はなくてもよい。
【００３６】
以上説明したように実施の形態１の宅内機器制御システム１００によれば、同一の住居内の２以上のテレビ受信装置２で同じ番組を予め決められた時間継続して表示している場合に、異なるテレビ受信装置で同じ番組が視聴されていることを同じ番組を視聴するユーザに通知し、他のテレビ受信装置２で視聴することにしたユーザが視聴していたテレビ受信装置２の電源をオフにすることで、消費電力を効率的に削減することができる。
【００３７】
（実施の形態２）
実施の形態１では、宅内機器制御装置１は各部屋のテレビ受信装置２を制御するが、実施の形態２では、宅内機器制御装置１は各部屋のテレビ受信装置２に加え、同じ部屋に配置された他の宅内機器も制御する。各宅内機器と宅内機器制御装置１との通信に関しては、実施の形態１と同様である。
【００３８】
図５は、本発明の実施の形態２に係る宅内機器制御システムの構成例を示す図である。複数のユーザが同居する住居の中のリビング、子供部屋１、子供部屋２、および、寝室にはそれぞれ、テレビ受信装置２Ａ〜２Ｄ（総称する場合には、テレビ受信装置２という）、空調機３Ａ〜３Ｄ（総称する場合には、空調機３という）、および、照明４Ａ〜４Ｄ（総称する場合には、照明４という）が配置されている。
【００３９】
実施の形態２に係る宅内機器制御システム２００は、テレビ受信装置２と、空調機３と、照明４と、中継器７を介してテレビ受信装置２、空調機３および照明４を制御する宅内機器制御装置１とで構成される。空調機３および照明４もテレビ受信装置２と同様に、電源のオンオフを制御する制御部と、宅内機器制御装置１と有線あるいは無線で通信可能に接続する通信部と、空調機３および照明４の基本的機能を担う部分とを備えるが、内部構成の図示は省略する。
【００４０】
図６は、実施の形態２に係る宅内機器制御装置の構成例を示す図である。実施の形態２に係る宅内機器制御装置１の構成要素は実施の形態１と同様であるが、記憶部１２は、テレビ受信装置２と同じ部屋に配置された空調機３および照明４とを対応付けた対応情報を記憶している。制御信号生成部１７は、選択情報取得部１６から受け取った選択情報が一緒に視聴する選択を示す場合、選択情報の送信元のテレビ受信装置２の電源をオフにする制御を指示する制御信号を生成する。
【００４１】
このとき、制御信号生成部１７は、記憶部１２の対応情報を参照し、選択情報の送信元のテレビ受信装置２と同じ部屋に配置された空調機３および照明４とを特定し、これらの空調機３および照明４の電源をオフにする制御を指示する制御信号を生成する。制御信号生成部１７は、生成した各制御信号を制御信号送信部１８に送る。制御信号送信部１８は、制御信号生成部１７から受け取った制御信号を当該テレビ受信装置２と、同じ部屋に配置された空調機３および照明４とに送信する。
【００４２】
なお、空調機３および照明４の電源をオフにする制御信号を送信するタイミングは、テレビ受信装置２の電源をオフにする制御信号を送信してから、一定時間経過後であってもよい。あるいは、テレビ受信装置２の電源をオフにする制御信号を送信した後一定時間以内に、当該テレビ受信装置２の電源がオンからオフになった機器情報を受信した場合に、空調機３および照明４の電源をオフにする制御信号を送信してもよい。
【００４３】
実施の形態２では、テレビ受信装置２と同じ部屋に配置された他の宅内機器として、空調機３および照明４を例に挙げたが、これらに限らず、宅内機器制御装置１と通信可能に接続する宅内機器であればよい。また、ユーザの利便性を考慮し、テレビ受信装置２の電源をオフにする時にテレビ受信装置２以外の宅内機器の電源をオフにするか否かは、予め宅内機器制御装置１に設定できる構成にしてもよい。例えば、同じ部屋にテレビ受信装置２が２つある場合には、空調機３および照明４の電源をオフにしないといった条件を設定したり、対応情報にテレビ受信装置２のユーザを示す情報をさらに対応付けて、テレビ受信装置２に２人以上のユーザがいる場合には、空調機３および照明４の電源をオフにしないといった条件を設定したりしてもよい。
【００４４】
また、空調機３および照明４の制御は、電源オフに限らず運転能力を下げてもよい。例えば、空調機３の場合、冷房の温度を上げる、暖房の温度を下げるといった制御や、照明４の場合、輝度を下げる、常夜灯にするといった制御を行ってもよい。さらに、テレビ受信装置２と同じ部屋に配置された他の宅内機器が部屋の侵入検知装置などの場合は、ユーザがいなくなることから、警戒を強めるように運転状態を変更してもよい。これにより、部屋のセキュリティーが強化される。
【００４５】
以上説明したように実施の形態２の宅内機器制御システム２００によれば、テレビ受信装置２の消費電力の削減と共に、無人になると推測される部屋の宅内機器も併せて運転状態を変更することで更なる消費電力削減や、セキュリティーの強化などの効果が得られる。
【００４６】
（実施の形態３）
実施の形態３では、実施の形態２における宅内機器制御装置１の機能を、宅内機器と通信可能に接続する宅外のサーバ５に設ける。
【００４７】
図７は、本発明の実施の形態３に係る宅内機器制御システムの構成例を示す図である。宅内機器制御システム３００では、宅内機器制御装置１は、中継器７を介して、テレビ受信装置２Ａ〜２Ｄ（総称する場合には、テレビ受信装置２という）から機器情報および選択情報を取得する。宅内機器制御装置１は、宅外のネットワーク（図７の例ではインターネット）に接続し、サーバ５に機器情報および選択情報を送信する。なお、宅内機器制御装置１は、ブロードバンドルータ等のネットワーク接続機器（図示せず）を介して宅外ネットワークに接続してもよい。
【００４８】
図８は、実施の形態３に係るサーバの構成例を示す図である。サーバ５は、機器情報取得部５１、記憶部５２、チャンネル照合部５３、提示画面生成部５４、提示画面送信部５５、選択情報取得部５６、制御信号生成部５７、および、制御信号送信部５８を備える。記憶部５２、チャンネル照合部５３、提示画面生成部５４、および、制御信号生成部５７、は、実施の形態２の宅内機器制御装置１が備える記憶部１２、チャンネル照合部１３、提示画面生成部１４、および、制御信号生成部１７に相当する。機器情報取得部５１および選択情報取得部５６はそれぞれ、宅内機器制御装置１から宅外のネットワークを介して、機器情報および選択情報を受信する。提示画面送信部５５および制御信号送信部５８はそれぞれ、宅外のネットワークを介して、提示画面情報および制御信号を宅内機器制御装置１に送信する。
【００４９】
図７の宅内機器制御装置１は、宅外のネットワークを介して、サーバ５から受信した提示画面情報および制御信号を、中継器７を介してテレビ受信装置２に送信する。このような構成にすることにより、宅内機器制御装置１は、テレビ受信装置２とサーバ５との通信に特化すればよいので、ハードウェア構成を簡素化することが可能になる。図７および図８では、実施の形態２における宅内機器制御装置１の機能をサーバ５が備える場合について説明したが、同様に、実施の形態１における宅内機器制御装置１の機能をサーバ５に設けてもよい。
【００５０】
以上説明したように実施の形態３の宅内機器制御システム３００によれば、宅内機器制御装置１のハードウェア構成を簡素化する効果が得られる。また、宅内機器制御装置１が備えるすべての機能を外部のサーバ５へ移設しなくても、チャンネル照合部１３、提示画面生成部１４、および、制御信号生成部１７の少なくともいずれか１つをサーバ５へ移設すれば、宅内機器制御装置１のハードウェア構成を簡素化する効果が得られる。さらに、地域エネルギーマネジメントシステム（CEMS：Community Energy Management System）などにおいて、複数の住宅の消費電力の削減を図る場合、宅外の１つのサーバ５が複数の住宅の宅内機器を制御すれば、システム全体としてのハードウェア構成の簡素化とコスト低減が可能となる。
【００５１】
上記の実施の形態では、宅内機器制御装置１の提示画面生成部１４は、ユーザに同番組を視聴中の他のテレビ受信装置２を通知し、一緒に視聴するか否かを選択可能な提示画面を生成するが、これに限らない。提示画面生成部１４は、ユーザに同番組を視聴中の他のテレビ受信装置２を通知するのみの提示画面を生成してもよい。この場合、宅内機器制御装置１の選択情報取得部１６、制御信号生成部１７、および、制御信号送信部１８はなくてもよい。ユーザが他のユーザと一緒に視聴することにした場合に、自ら同番組を視聴していたテレビ受信装置２の電源をオフにすることで、テレビ受信装置２の消費電力を効率的に削減することができる。
【００５２】
上記の実施の形態では、宅内の複数のテレビ受信装置２で同じ番組を視聴しているまたは同じ番組が視聴予約されている場合に、ユーザに同番組を視聴中または同番組が視聴予約されている他のテレビ受信装置２を通知する。これに限らず、機器情報にユーザが視聴している番組のジャンルを示す「ジャンルコード」を含む場合には、宅内の複数のテレビ受信装置２で同じジャンルの番組を視聴している場合に、ユーザに同じジャンルの番組を視聴中または同じジャンルの番組が視聴予約されている他のテレビ受信装置２を通知してもよい。
【００５３】
上記の実施の形態では、宅内の複数のテレビ受信装置２で同じ番組を視聴しているまたは同じ番組が視聴予約されている場合に、ユーザに同番組を視聴中または同番組が視聴予約されている他のテレビ受信装置２を通知する。これに限らず、ユーザが一人である場合には、宅内の複数のテレビ受信装置２で同じ番組を視聴しているまたは同じ番組が視聴予約されている場合に、これをユーザに通知したり、いずれか１つのテレビ受信装置２で同番組を視聴することをユーザに促したりしてもよい。
【００５４】
宅内機器制御装置１は、ＣＰＵ（Central Processing Unit）、ＲＯＭ（Read Only Memory）、ＲＡＭ（Random Acces Memory）、不揮発性メモリ、ネットワークに接続する網終端装置または無線通信装置などから構成される。宅内機器制御装置１の機器情報取得部１１、記憶部１２、チャンネル照合部１３、提示画面生成部１４、提示画面送信部１５、選択情報取得部１６、制御信号生成部１７、および、制御信号送信部１８の処理は、制御プログラムが、これらのハードウェアを資源として用いて処理することによって実行する。
【００５５】
その他、前記のハードウェア構成やフローチャートは一例であり、任意に変更および修正が可能である。また、上述の機能を、ＯＳ（Operating System）とアプリケーションとの分担、またはＯＳとアプリケーションとの協同により実現する場合には、ＯＳ以外の部分のみを媒体に格納してもよい。
【００５６】
さらに、搬送波に各プログラムを重畳し、通信ネットワークを介して配信することも可能である。例えば、通信ネットワーク上の掲示板（BBS,Bulletin Board System）に当該プログラムを掲示し、ネットワークを介して当該プログラムを配信してもよい。そして、これらのプログラムを起動し、ＯＳの制御下で、他のアプリケーションプログラムと同様に実行することにより、上述の処理を実行できるように構成してもよい。
【符号の説明】
【００５７】
１  宅内機器制御装置、２，２Ａ〜２Ｄ  テレビ受信装置、３，３Ａ〜３Ｄ  空調機、４，４Ａ〜４Ｄ  照明、５  サーバ、７  中継器、１１  機器情報取得部、１２  記憶部、１３  チャンネル照合部、１４  提示画面生成部、１５  提示画面送信部、１６  選択情報取得部、１７  制御信号生成部、１８  制御信号送信部、２１  制御部、２２  通信部、５１  機器情報取得部、５２  記憶部、５３  チャンネル照合部、５４  提示画面生成部、５５  提示画面送信部、５６  選択情報取得部、５７  制御信号生成部、５８  制御信号送信部、１００，２００,３００  宅内機器制御システム。
【図１】
0006566752.tif 000002
【図２】
0006566752.tif 000003
【図３】
0006566752.tif 000004
【図４】
0006566752.tif 000005
【図５】
0006566752.tif 000006
【図６】
0006566752.tif 000007
【図７】
0006566752.tif 000008
【図８】
0006566752.tif 000009